(57)【要約】      （修正有）【課題】自己の体型を体積により把握して、ダイエットによる肥満の変化を正しく認識できるようにして、健康管理ができる。【解決手段】容器内に水を入れこの水中に人体を首まで入れ、その時の水位と、人体が水中に入る前との水位差により、その差容積を計算する、この容積は人体の体積に等しいものであるため容易に体積測定がでる。水位の測定は、ものさしで計ることもできるが、水位センサーを利用すれば、電気的に水位差が測定でき、電算器を併用すれば容積の計算も自動的にできる。【選択図】        図１
2004305653.tif 000002
【特許請求の範囲】
【請求項１】
人体の体積を測定する方法において、人体を水浴槽内の水中に入れることにより水位を上昇させ、この上昇高を計測することにより、上昇水量を計算し、この上昇水容積により人体の体積を計測することを特徴とした、人体の体積測定方法。
【請求項２】
人体の体積を測定する装置において、水浴槽内に水位検出センサーを設けることにより、人体が浴槽内に出入する際の水位の高低差を検出し電算装置に入力して、この高低差の水容積を計測することにより、人体の体積を測定することを特徴とした、人体の体積測定装置。
【請求項３】
請求項２記載の人体の体積測定装置において、浴槽内に補正容器を設けることにより、浴槽内の各高さ位置に置ける容積を均一にすることを特徴とした、人体の体積測定装置。
【請求項４】
請求項２記載の人体の体積測定装置において、体積÷（身長×身長）の値を算定し表示することを特徴とした、人体の体積測定装置。
【発明の詳細な説明】
【０００１】
【発明の属する技術分野】
本発明は肥満者の健康管理のために、人体の体積を測定する方法と、その装置に関するものである。
【０００２】
【従来の技術】
近年、健康管理の手段として体重及び体脂肪率を減少させるダイエットが盛んに行われており、ブームとなっている、このため市場には色々な身体鍛練用具、或いは体脂肪計が販売されている、又電気的に体脂肪を測定するものとして特開平５−１８８１０、特開平９−７９８９４、特開平９−２３８９２６、特開平１０−１２７５９３、特開平１０−１９２２５８、特開平１０−３００５６２、特開平１１−０９４６３６、特開２０００−１３９８６９、特開２０００−１７１２８８、特開２０００−２７９３８９、特開２００１−７８９７８、特開２００１−１８３２２７、特開２００１−１９０５１４、特開２００１−１９４２１９特開２００１−２５２２５８、特開２００２−１１２９７６、特開２００２−２９１７１４、特開２００２−３０３５４５、特開２００２−３１８１５３、特開２００３−７０７６２等があり、体脂肪に電気を流すインピーダンス法により体脂肪を測定しており、この方法は現実的な測定法として広く普及している。
【０００３】
体脂肪測定法としての体密度法は、生体を体脂肪とそれ以外の組織の２成分と考え、それぞれの密度は一定であるという仮定によって体脂肪量を推定する方法である、この方法では身体体積と体重から体密度を求め、推定式を用いて体脂肪率を算出する身体体積の測定法として密閉されたチャンバー内に被験者が入り、チャンバー内の圧力から体容積を求めるものがある。
【０００４】
体重にて体脂肪率を算定する方法として、体重÷（身長×身長）、ＢＭＩ法が最も簡単で正確性があるとして、世界的に使用されている。
【０００５】
【発明が解決しようとする課題】
身体の余剰な体脂肪を急激に減少させるのは、健康上に好ましくなく、期間をかけて徐々に減少させるのが望ましいとされている、従来の体脂肪計は単にその時点での体脂肪率又は体脂肪量が解り、あるいは過去の体脂肪率を記憶しておき、その数値データを呼び出すことで、過去との増減変化を比較することができるが、現今一般に広く普及している体脂肪測定器は人体の脂肪組織と筋肉、骨血管等との電気抵抗差を利用して測定しており、実際の体脂肪率を正確に測定できるものではない。
【０００５】
体脂肪の多く付いた身体を肥満体と言う、この肥満度を判定する方法として、ボディー、マス、インデックス（ＢＭＩ）がある、この方法は、体重÷（身長×身長）にて数値を出し標準値と比較するものである、この方式は正確に近いものであるが、更に精度の良いものが望まれている。
【０００６】
体脂肪率を正確に測定するには、人体を解剖するしか方法はなく、生体状態にて測定する方法であって、現今使用されている最良の方法は、人体の体積を計量し、体積と身長により体脂肪率を算定する方法である。
人体体積を測定する方法として、密閉されたチャンバーを二基用意し、一基に被験者を入れて測定するＢｏｄ  Ｐｏｄ法がある、このものは測定方法としては良好であるが、設備費が高価になり一般個人が採用できるものでない。
【０００７】
本発明は、これらの問題点に鑑みてなされたものであり、自己の体型を体積により把握して、ダイエットによる肥満の変化を正しく認識できるようにして、健康管理ができるものを提供することである。
【０００８】
【課題を解決するための手段】
上記の目的を達するために本発明の人体の体積測定方法は、容器内に水を入れこの水中に人体を首まで入れ、その時の水位と、人体が水中に入る前との水位差により、その差容積を計算する、この容積は人体の体積に等しいものであるため容易に体積測定がでる。
水位の測定は、ものさしで計ることもできるが、水位センサーを利用すれば、電気的に水位差が測定でき、電算器を併用すれば容積の計算も自動的にできる。
【０００９】
一般家庭の浴槽を利用し、入浴時に体積測定をすることは、容易であり便利である、木製の浴槽は計量枡のように内部の容積が上部も下部も同一であるため、水容積の計算が簡単にでき便利である。
金属製、合成樹脂製の浴槽は上部になるにつれ広くなっているため、容積計算が簡単にできない、そこで計測時に浴槽内に容積を補正するための容器を入れるこの容器は上部が大で下部が小に作られており、浴槽内の各深さの容積を均一にして計算を容易にするものである、水容積を計算する場合、コンピューターを利用すれば、補正用の容器を省略できることは勿論である。
【００１０】
体重÷（身長×身長）この方式にて体脂肪率を算出するのは、ＢＭＩ方式として一般化されているが、本発明は体積÷（身長×身長）方式がＢＭＩ方式より、精度が優れていることに着目し、この計算式を発明した、そして人体体積を一般家庭にても浴槽を利用し容易に測定できる方法と装置を発明したものである。
【００１１】
【発明の実施の形態】
本発明は、水を使って人体の体積を測定する方法の発明と、その方法を実施するための装置の発明である、水は冷水と温水が使用されるが、冷水は夏期にしか使用できないが、温水は夏期にも使用できるため温水を使用する場合が多くなる温水を使用した場合と冷水を使用した場合と、測定結果に微小ながら差異があるが、本発明の目的は人体の健康保持用であるため厳密性を問わない、それで温水冷水どちらを使用してもよい。
【００１２】
以下本発明を図面に基づいて詳細に説明する、図１の１は人体の体積を測定するための冷水又は温水を入れる水浴槽であって、一般家庭の浴槽を利用するのが好適である、この水浴槽１の中に冷温水９を入れ、入浴するように人体２を首位まで水中に入れる。
人体２が冷温水９の中に入ると、人体２の首位以下の体積に相当した水量分だけ水面が上昇する、この上昇したる水量を計量することにより人体２の体積を計測する、この場合人体２の頭部を除外しているが、頭部は脂肪の増減が僅少であるから除外しても影響は微々たるものとして無視する、又頭部を水中に入れることは実際上において困難なことである。
【００１３】
冷温水９の中に人体２が入ったときの水面を上水面３とする、人体２が入って居ないときの水面を下水面４とする、この水面差の距離を計測して、その容積を算定する、この容積は人体２の首以下の体積に等しいものであるから、体積値によって肥満率、体脂肪率が算定できる。
５は水位センサーであって、冷温水９の水位の高低を検知し、電算部に入力することにより、高低差の水容積を計測させる。
【００１４】
従来の体脂肪率計算は、体重÷（身長×身長）であったが、体重によって求める計算より身体の体積によって計算するのが、一層正確であるため、本発明は  体積÷（身長×身長）の計算式を開発し、身体体積の計測方法として水浴による方法を発明したのである、この方法によれば一般の家庭にても容易に正確な体脂肪の測定ができ便利である。
【００１５】
図２の６は本発明の表示部であって、水位センサー５より入力された水位指数を電算して体脂肪率をデジタル表示するものである、家庭にて入浴の都度、自動的に体脂肪率を知ることができれば、ダイエットの状況がよく分り対処ができる
【００１６】
図３は表示部６に表示される日毎の体脂肪率を平均し、月毎の変化表にした表示図である、年毎の表示にすることも勿論可能である、８は月間の体脂肪率を平均した体脂肪値である，肥満者は体脂肪を急激に減少させず、長期間にて徐々に減少させなければいけない、そのためには簡単に容易に体脂肪の確認ができなければいけない、本発明はその要望に応えたものである。
【００１７】
図４は、一般家庭の浴槽を本発明の水浴槽１の代用として用いる場合の図である、木製の浴槽は上部と下部の容積が同じであるから、容積計算が簡単であるが金属製、合成樹脂製の家庭浴槽は上方になるにつれ、広くなっているので、容積計算が困難である、そこで上方と下方との容積差異を相殺させるものを、中に入れれば困難は解消される、７は、この容積差異を相殺させるための補正容器である、この補正容器７は常時に使用するものでなく、人体の体積を測定する時のみ使用するものである。
コンピューターを用いて電算し、浴槽内の上下の容積差異を相殺すれば、補正容器７を必要としないことは勿論である。
体脂肪率は男性と女性とでは、約１０％の差異があり、又体質によっても差異があるので、計算値は一応の目安として、その人の体質に適合した補正値にて、健康管理をしなければいけないことは勿論である。
【００１８】
【発明の効果】
従来においては人体の体積測定は特別な病院でなければ、その設備がなかったそのため肥満程度にて体積測定を受けることは不可能に近いものであったが、以上詳記したように本発明によれば家庭の浴槽にて簡単に自分の身体体積が測定でき、その体積値によって従来より精度のよい体脂肪率が計測できる、又身体体積を知ることにより、身体の比重も算定できるので従来にない健康管理ができる。従来は体重のみにて肥満度、体脂肪率を算定していたが、本発明は体積にて肥満度、体脂肪率を算定するため肥満の状態が一層鮮明に認識でき、ダイエットの効果状態を正確に把握できダイエットを効率的に実施することができる。
本発明を家庭にて実施する場合の費用は安価であり、容易に実施できるので、健康管理上において有益なものである。
【図面の簡単な説明】
【図１】本発明の人体の体積測定方法として、水中に人体を入れて人体の体積を測定している一施例図である。
【図２】本発明の人体の体積測定装置の、表示部と水位センサーを示す図である。
【図３】本発明の人体の体積測定装置の、体脂肪率変化表図である。
【図４】本発明の人体の体積測定装置の、水浴槽と補正容器の側面断面図である。
【符号の説明】
１  水浴槽
２  人体
３  上水面
４  下水面
５  水位センサー
６  表示部
７  補正容器
８  体脂肪値
９  冷温水
【図１】
2004305653.tif 000003
【図２】
2004305653.tif 000004
【図３】
2004305653.tif 000005
【図４】
2004305653.tif 000006